(57)【特許請求の範囲】
【請求項１】
電力供給可能な所定のインタフェース端子を含む複数の端子を有するオーディオ機器であって、
複数のオーディオソースから、インタフェース端子を介して供給される特定の音声信号と、他の端子を介して供給される前記特定の音声信号以外の音声信号とをそれぞれ入力する入力手段と、
前記入力手段が入力した複数の音声信号から、任意の音声信号を選択する選択手段と、
前記選択手段により選択された音声信号が、前記特定の音声信号以外の音声信号である場合に、前記選択手段により選択された音声信号と、前記入力手段により入力された音声信号における特定の音声信号とを、合成する合成手段と、
前記合成手段により合成された音声信号を所定のスピーカに向けて出力する出力手段と、を備えており、
電源が投入されていない状態において、インタフェース端子からの電力供給によって、少なくともインタフェース端子から供給された特定の音声信号を出力可能となるように一部が駆動する、
ことを特徴とするオーディオ機器。
【請求項２】
所定のオーディオ端子及び、電力供給可能な所定のインタフェース端子を有するオーディオ機器であって、
オーディオ端子及びインタフェース端子を介してそれぞれ供給される音声信号を入力する入力手段と、
前記入力手段が入力した複数の音声信号から、任意の音声信号を選択する選択手段と、
前記選択手段により選択された音声信号が、前記入力手段によりインタフェース端子を介して入力された音声信号以外の音声信号である場合に、前記選択手段により選択された音声信号と、前記入力手段によりインタフェース端子を介して入力された音声信号とを、合成する合成手段と、
前記合成手段により合成された音声信号を増幅して所定のスピーカに向けて出力する出力手段と、を備えており、
電源が投入されていない状態において、インタフェース端子からの電力供給によって、少なくともインタフェース端子から入力された音声信号を出力可能となるように一部が駆動する、
ことを特徴とするオーディオ機器。
【請求項３】
複数のオーディオ端子及び、ＵＳＢ（Universal Serial Bus）インタフェース端子を有するオーディオ機器であって、
各オーディオ端子及びＵＳＢインタフェース端子を介してそれぞれ供給される音声信号を入力する入力手段と、
前記入力手段が入力した複数の音声信号から、任意の音声信号を選択する選択手段と、
前記選択手段により選択された音声信号が、前記入力手段によりＵＳＢインタフェース端子を介して入力された音声信号であるか否かを判別する判別手段と、
前記判別手段により、ＵＳＢインタフェース端子を介して入力された音声信号でないと判別された場合に、前記選択手段により選択された音声信号と、前記入力手段によりＵＳＢインタフェース端子を介して入力された音声信号とを、合成する合成手段と、
前記合成手段により合成された音声信号を増幅して所定のスピーカに向けて出力する出力手段と、を備えており、
電源が投入されていない状態において、ＵＳＢインタフェース端子からの電力供給によって、少なくともＵＳＢインタフェース端子から入力された音声信号を出力可能となるように一部が駆動する、
ことを特徴とするオーディオ機器。
【請求項４】
所定のオーディオ端子及び、電力供給可能な所定のインタフェース端子を有するオーディオ機器であって、
オーディオ端子及びインタフェース端子を介してそれぞれ供給される音声信号を入力する入力手段と、
前記入力手段が入力した複数の音声信号から、任意の音声信号を選択する選択手段と、
前記選択手段により選択された音声信号を、第１の出力端子を介して外部に出力する第１の出力手段と、
前記選択手段により選択された音声信号が、前記入力手段によりインタフェース端子を介して入力された音声信号以外の音声信号である場合に、前記入力手段によりインタフェース端子を介して入力された音声信号を、第２の出力端子を介して外部に出力する第２の出力手段と、を備えており、
電源が投入されていない状態において、インタフェース端子からの電力供給によって、少なくともインタフェース端子から入力された音声信号を出力可能となるように一部が駆動する、
ことを特徴とするオーディオ機器。
【請求項５】
所定のオーディオ端子及び、電力供給可能な所定のインタフェース端子を有しており、電源が投入されていない状態において、インタフェース端子からの電力供給によって、少なくとも インタフェース端子から入力された音声信号を出力可能となるように一部が駆動するオーディオ機器の音声出力制御方法であって、
オーディオ端子及びインタフェース端子を介してそれぞれ供給される音声信号を入力する入力ステップと、
前記入力ステップにて入力された複数の音声信号から、任意の音声信号を選択する選択ステップと、
前記選択ステップにて選択された音声信号が、前記入力ステップにてインタフェース端子を介して入力された音声信号以外の音声信号である場合に、前記選択ステップにて選択された音声信号と、前記入力ステップにてインタフェース端子を介して入力された音声信号とを、合成する合成ステップと、
前記合成ステップにて合成された音声信号を増幅して所定のスピーカに向けて出力する出力ステップと、
を備えることを特徴とする音声出力制御方法。
【発明の詳細な説明】
【０００１】
【発明の属する技術分野】
この発明は、オーディオ機器および音声出力制御方法に関する。
【０００２】
【従来の技術】
従来より、一般的なステレオシステムにおいて、アンプ（アンプ機器）が使用されている。このアンプは、例えば、背面パネルに複数の入力端子が配置されており、この端子に所定のオーディオケーブルが接続されて、オーディオソース（プレーヤ機器やチューナ機器等）からの音声信号が入力される。そしてまた、正面パネルに操作キー等が配置されており、この操作キーが利用者により操作されると、任意のオーディオソースに入力を切り替え、対象の音声信号を適宜増幅して、所定のスピーカから楽曲音（音声）を出力する。
【０００３】
最近では、パソコン（パーソナルコンピュータ）等と接続可能なインタフェースを備えたアンプも徐々に製品化されて来ている。例えば、ＵＳＢ（Universal Serial Bus）規格のインタフェースが設けられたアンプは、ＵＳＢケーブルを介して接続されたパソコンから、オーディオ信号（ＵＳＢ音声信号）が供給されると、スピーカにて高音質の楽曲音（音声）を出力することができる。
図５に、このようなアンプを含んだオーディオシステムの一例を示す。図示するように、このオーディオシステムは、アンプ１００と、ＭＤレコーダ２００と、チューナ３００と、スピーカ４００と、パソコン本体５００と、ディスプレイモニタ５１０と、キーボード５２０と、マウス５３０と、モデム５４０とから構成されている。
なお、アンプ１００とパソコン本体５００とは、ＵＳＢケーブル６００を介して接続され、また、アンプ１００とＭＤレコーダ２００及びチューナ３００とは、所定のオーディオケーブルを介して接続され、更に、アンプ１００と２つのスピーカ４００とは、所定のスピーカケーブルを介して接続されている。
【０００４】
このオーディオシステムは、ＭＤレコーダ２００等にて再生された音声だけでなく、パソコン本体５００にて再生（生成）された音声も、アンプ１００を介してスピーカ４００にて出力することができる。
つまり、アンプ１００は、パソコン本体５００もＭＤレコーダ２００と同様に、オーディオソースの１つとして扱っており、利用者による操作キーの操作等に従って、パソコン本体５００からのＵＳＢ音声に入力を切り替え、このＵＳＢ音声を適宜増幅してスピーカ４００に出力する。
【０００５】
具体的にアンプ１００は、図６に示すように、切替ユニット１１０と、マイコン１２０と、ＵＳＢハブ１３０と、ＵＳＢコーデックＩＣ１４０と、Ｄ／Ａ１５０と、ディスプレイ１６０と、操作部１７０と、ボリューム＆ＭＵＴＥ回路１８０と、音声増幅部１９０と、を含んで構成される。
なお、アンプの背面パネルＰには、アナログ録音出力端子、アナログ再生入力端子、デジタル入力端子、アナログ入力１端子，２端子、及び、ＵＳＢ接続端子が配置されている。そして、アナログ再生入力端子には、ＭＤレコーダ２００からの音声信号が入力され、また、アナログ入力１端子には、チューナ３００からの音声信号が入力され、更に、ＵＳＢ接続端子には、パソコン本体５００からのＵＳＢ音声信号が入力されるように、各ケーブルが接続されている。
【０００６】
切替ユニット１１０は、セレクタ１１１及びＭＵＴＥ回路１１２を備え、５系統の音声信号入力（アナログ３入力，デジタル１入力，ＵＳＢデジタル１入力）から、１系統の音声信号を選択して（切り替えて）、選択した音声信号をボリューム＆ＭＵＴＥ回路１８０等に供給する。
マイコン１２０は、操作部１７０から供給される指示信号や、ＵＳＢハブ１３０を介してパソコン本体５００から供給される制御信号に従って、切替ユニット１１０やボリューム＆ＭＵＴＥ回路１８０等を制御する。
【０００７】
ＵＳＢハブ１３０は、ＵＳＢ接続端子から入力したＵＳＢ音声信号をＵＳＢコーデックＩＣ１４０に供給すると共に、ＵＳＢ接続端子から入力した制御信号をマイコン１２０に供給する。また逆に、ＵＳＢコーデックＩＣ１４０から出力されたＵＳＢ音声信号や、マイコン１２０から出力された制御信号を、ＵＳＢ接続端子を介してパソコン本体５００に供給する。
ＵＳＢコーデックＩＣ１４０は、ＵＳＢハブ１３０を介して供給されたＵＳＢ音声信号をデコードして、セレクタ１１１に供給する。
Ｄ／Ａ（デジタル／アナログコンバータ）１５０は、デジタル入力端子からデジタル音声信号が入力された際に、アナログの音声信号に変換してセレクタ１１１に供給する。
【０００８】
ディスプレイ１６０は、蛍光表示管や液晶表示パネル等からなり、アンプ１００の動作状況を利用者に報知するための文字情報等を表示する。
操作部１７０は、例えば、正面パネルに配置された複数の操作キー等からなり、利用者の操作に応じた指示信号を生成してマイコン１２０に供給する。
【０００９】
ボリューム＆ＭＵＴＥ回路１８０は、マイコン１２０に制御され、セレクタ１１１を介して供給された音声信号を、設定された音量値に従って、増幅又は減衰等する。ボリューム＆ＭＵＴＥ回路１８０は、増幅等した音声信号を音声増幅部１９０に供給する。
音声増幅部（ＡＭＰ）１９０は、ボリューム＆ＭＵＴＥ回路１８０から供給された音声信号を適宜増幅した後に、スピーカ出力端子を介してスピーカ４００に向けて出力する。
【００１０】
つまり、このような構成のアンプ１００は、操作部１７０等からの指示信号に従って、セレクタ１１１にて音声信号の入力が切り替えられ、ＭＤレコーダ２００等にて再生された音声だけでなく、パソコン本体５００にて再生（生成）された音声も、音声増幅部１９０等を介してスピーカ４００に向けて出力することができる。
【００１１】
【発明が解決しようとする課題】
上述したように、図６に示すような従来のアンプ１００は、パソコン本体５００からの音声も、ＭＤレコーダ２００等からの音声と同様に、オーディオソースの１つとして扱っている。そのため、セレクタ１１１にてＵＳＢ音声信号以外の音声信号（ＭＤレコーダ２００やチューナ３００からの音声）を選択すると、利用者は、パソコン本体５００にて再生（生成）される音声を聴くことができない。
つまり、従来のアンプ１００には、ＭＤレコーダ２００等にて再生される音声を聴きながらパソコン本体５００（キーボート５２０やマウス５３０）を操作するような場合に、利用者がアプリケーションの起動音やエラー通知音等を聴き取ることができないという問題があった。
【００１２】
この発明は、上記実状に鑑みてなされたもので、パソコン等の特定機器も含めた複数のオーディオソースの音声を切り替えるオーディオ機器において、特定機器の音声を適切に出力することのできるオーディオ機器および音声出力制御方法を提供することを目的とする。
【００１３】
【課題を解決するための手段】
上記目的を達成するため、本発明の第１の観点に係るオーディオ機器は、
電力供給可能な所定のインタフェース端子を含む複数の端子を有するオーディオ機器であって、
複数のオーディオソースから、インタフェース端子を介して供給される特定の音声信号と、他の端子を介して供給される前記特定の音声信号以外の音声信号とをそれぞれ入力する入力手段と、
前記入力手段が入力した複数の音声信号から、任意の音声信号を選択する選択手段と、
前記選択手段により選択された音声信号が、前記特定の音声信号以外の音声信号である場合に、前記選択手段により選択された音声信号と、前記入力手段により入力された音声信号における特定の音声信号とを、合成する合成手段と、
前記合成手段により合成された音声信号を所定のスピーカに向けて出力する出力手段と、を備えており、
電源が投入されていない状態において、インタフェース端子からの電力供給によって、少なくともインタフェース端子から供給された特定の音声信号を出力可能となるように一部が駆動する、
ことを特徴とする。
【００１４】
上記目的を達成するため、本発明の第２の観点に係るオーディオ機器は、
所定のオーディオ端子及び、電力供給可能な所定のインタフェース端子を有するオーディオ機器であって、
オーディオ端子及びインタフェース端子を介してそれぞれ供給される音声信号を入力する入力手段と、
前記入力手段が入力した複数の音声信号から、任意の音声信号を選択する選択手段と、
前記選択手段により選択された音声信号が、前記入力手段によりインタフェース端子を介して入力された音声信号以外の音声信号である場合に、前記選択手段により選択された音声信号と、前記入力手段によりインタフェース端子を介して入力された音声信号とを、合成する合成手段と、
前記合成手段により合成された音声信号を増幅して所定のスピーカに向けて出力する出力手段と、を備えており、
電源が投入されていない状態において、インタフェース端子からの電力供給によって、少なくともインタフェース端子から入力された音声信号を出力可能となるように一部が駆動する、
ことを特徴とする。
【００１５】
上記目的を達成するため、本発明の第３の観点に係るオーディオ機器は、
複数のオーディオ端子及び、ＵＳＢインタフェース端子を有するオーディオ機器であって、
各オーディオ端子及びＵＳＢインタフェース端子を介してそれぞれ供給される音声信号を入力する入力手段と、
前記入力手段が入力した複数の音声信号から、任意の音声信号を選択する選択手段と、
前記選択手段により選択された音声信号が、前記入力手段によりＵＳＢインタフェース端子を介して入力された音声信号であるか否かを判別する判別手段と、
前記判別手段により、ＵＳＢインタフェース端子を介して入力された音声信号でないと判別された場合に、前記選択手段により選択された音声信号と、前記入力手段によりＵＳＢインタフェース端子を介して入力された音声信号とを、合成する合成手段と、
前記合成手段により合成された音声信号を増幅して所定のスピーカに向けて出力する出力手段と、を備えており、
電源が投入されていない状態において、ＵＳＢインタフェース端子からの電力供給によって、少なくともＵＳＢインタフェース端子から入力された音声信号を出力可能となるように一部が駆動する、
ことを特徴とする。
【００１６】
上記目的を達成するため、本発明の第４の観点に係るオーディオ機器は、
所定のオーディオ端子及び、電力供給可能な所定のインタフェース端子を有するオーディオ機器であって、
オーディオ端子及びインタフェース端子を介してそれぞれ供給される音声信号を入力する入力手段と、
前記入力手段が入力した複数の音声信号から、任意の音声信号を選択する選択手段と、
前記選択手段により選択された音声信号を、第１の出力端子を介して外部に出力する第１の出力手段と、
前記選択手段により選択された音声信号が、前記入力手段によりインタフェース端子を介して入力された音声信号以外の音声信号である場合に、前記入力手段によりインタフェース端子を介して入力された音声信号を、第２の出力端子を介して外部に出力する第２の出力手段と、を備えており、
電源が投入されていない状態において、インタフェース端子からの電力供給によって、少なくともインタフェース端子から入力された音声信号を出力可能となるように一部が駆動する、
ことを特徴とする。
【００１７】
上記目的を達成するため、本発明の第５の観点に係る音声出力制御方法は、
所定のオーディオ端子及び、電力供給可能な所定のインタフェース端子を有しており、電源が投入されていない状態において、インタフェース端子からの電力供給によって、少なくとも インタフェース端子から入力された音声信号を出力可能となるように一部が駆動するオーディオ機器の音声出力制御方法であって、
オーディオ端子及びインタフェース端子を介してそれぞれ供給される音声信号を入力する入力ステップと、
前記入力ステップにて入力された複数の音声信号から、任意の音声信号を選択する選択ステップと、
前記選択ステップにて選択された音声信号が、前記入力ステップにてインタフェース端子を介して入力された音声信号以外の音声信号である場合に、前記選択ステップにて選択された音声信号と、前記入力ステップにてインタフェース端子を介して入力された音声信号とを、合成する合成ステップと、
前記合成ステップにて合成された音声信号を増幅して所定のスピーカに向けて出力する出力ステップと、
を備えることを特徴とする。
【００１８】
【発明の実施の形態】
本発明の実施の形態にかかるオーディオ機器について、アンプ（アンプ機器）を一例として、以下図面を参照して説明する。
【００１９】
図１は、この発明の実施の形態に適用されるアンプの一例を示すブロック図である。図示するように、このアンプは、切替ユニット１１と、マイコン１２と、ＵＳＢハブ１３と、ＵＳＢコーデックＩＣ１４と、Ｄ／Ａ１５と、ディスプレイ１６と、操作部１７と、ボリューム＆ＭＵＴＥ回路１８と、ＵＳＢ音声用ボリューム＆ＭＵＴＥ回路１９と、ＭＩＸ回路２０と、音声増幅部２１と、を含んで構成される。
なお、アンプの背面パネルＰには、アナログ録音出力端子、アナログ再生入力端子、デジタル入力端子、アナログ入力１端子，２端子、及び、ＵＳＢ接続端子等が配置されている。
そして、一例として、アナログ再生入力端子には、外部のＭＤレコーダからの音声信号が、また、アナログ入力１端子には、外部のチューナからの音声信号が、それぞれ入力されるようにオーディオケーブルが接続されている。更に、ＵＳＢ接続端子には、パソコンからのＵＳＢ音声信号が入力されるようにＵＳＢケーブルが接続されている。
【００２０】
切替ユニット１１は、セレクタ１１ａ及びＭＵＴＥ回路１１ｂを備えており、マイコン１２に制御され、入力ソース（入力音声信号）の切り替えを行う。
セレクタ１１ａは、５入力の切替器等からなり、５系統の音声信号から、１系統の音声信号を選択し、選択した音声信号をボリューム＆ＭＵＴＥ回路１８等に供給する。
一例として、セレクタ１１ａは、ＭＤレコーダ（アナログ再生入力端子）からの音声信号、チューナ（アナログ入力１端子）からの音声信号、及び、パソコン（ＵＳＢ接続端子）からのＵＳＢ音声信号をそれぞれ入力する。そして、マイコン１２の制御に従って、何れかの音声信号（ＵＳＢ音声信号も含む）を選択して、ボリューム＆ＭＵＴＥ回路１８等に供給する。
また、ＭＵＴＥ回路１１ｂは、セレクタ１１ａが音声信号を切り替える際に生じさせるショック音（過渡的な音声）を、ボリューム＆ＭＵＴＥ回路１８やアナログ録音出力端子等に出力しないように、ミュート（消音）処理する。
【００２１】
マイコン１２は、ＣＰＵ（Central Processing Unit）やＲＡＭ（Random Access Memory）等から構成される１チップマイコン等からなり、アンプ全体を制御する。
具体的にマイコン１２は、操作部１７から供給される指示信号や、ＵＳＢハブ１３を介してパソコン等から供給される制御信号に従って、切替ユニット１１、ボリューム＆ＭＵＴＥ回路１８、及び、ＵＳＢ音声用ボリューム＆ＭＵＴＥ回路１９等を制御する。
そして、マイコン１２は、セレクタ１１ａにてＵＳＢ音声信号以外の音声信号（ＭＤレコーダやチューナ等からの音声）に入力を切り替えた際に、ＵＳＢ音声用ボリューム＆ＭＵＴＥ回路１９を制御して、ＵＳＢコーデックＩＣ１４から供給されるＵＳＢ音声信号をＭＩＸ回路２０に供給させる。
【００２２】
ＵＳＢハブ１３は、ＵＳＢ規格に従った通信データ（ＵＳＢ音声信号及び制御信号等）の分岐及び収集を行う。具体的にＵＳＢハブ１３は、ＵＳＢ接続端子から入力したＵＳＢ音声信号をＵＳＢコーデックＩＣ１４に供給すると共に、ＵＳＢ接続端子から入力した制御信号をマイコン１２に供給する。また逆に、ＵＳＢコーデックＩＣ１４から出力されたＵＳＢ音声信号や、マイコン１２から出力された制御信号を、ＵＳＢ接続端子を介してパソコン等の特定機器に供給する。
【００２３】
ＵＳＢコーデックＩＣ１４は、例えば、ＵＳＢ規格に従った通信機能を併せ持つＣＯＤＥＣ（COder/DECoder）用ＩＣ等からなり、ＵＳＢハブ１３を介してパソコン等の特定機器から供給されたＵＳＢ音声信号（アイソクロナス転送のフレーム等）を順次取得する。そして、取得したＵＳＢ音声信号をデコードして、セレクタ１１ａ及び、ＵＳＢ音声用ボリューム＆ＭＵＴＥ回路１９に順次供給する。
また、ＵＳＢコーデックＩＣ１４は、セレクタ１１ａにて選択された音声信号等を、ＵＳＢ音声信号に変換して、ＵＳＢハブ１３に供給する。
【００２４】
Ｄ／Ａ（デジタル／アナログコンバータ）１５は、背面パネルＰのデジタル入力端子からデジタル音声信号が入力された際に、アナログの音声信号に変換してセレクタ１１ａに供給する。
【００２５】
ディスプレイ１６は、蛍光表示管や液晶表示パネル等からなり、マイコン１２から供給される表示用情報に従って、アンプの動作状況を利用者に報知するための文字情報等を表示する。
【００２６】
操作部１７は、例えば、正面パネルに配置された複数の操作キー等からなり、利用者の操作に応じた指示信号を生成してマイコン１２に供給する。
【００２７】
ボリューム＆ＭＵＴＥ回路１８は、マイコン１２に制御され、セレクタ１１ａを介して供給された音声信号を、設定された音量値に従って、増幅又は減衰等する。ボリューム＆ＭＵＴＥ回路１８は、増幅等した音声信号をＭＩＸ回路２０に供給する。
【００２８】
ＵＳＢ音声用ボリューム＆ＭＵＴＥ回路１９は、マイコン１２に制御され、ＵＳＢコーデックＩＣ１４を介して供給されたＵＳＢ音声信号を、専用に設定された音量値に従って、増幅又は減衰等する。そして、増幅等したＵＳＢ音声信号をＭＩＸ回路２０に供給する。
【００２９】
ＭＩＸ回路２０は、ボリューム＆ＭＵＴＥ回路１８から供給された音声信号、及び、ＵＳＢ音声用ボリューム＆ＭＵＴＥ回路１９から供給されたＵＳＢ音声信号を合成して、合成音声信号を生成する。ＭＩＸ回路２０は、生成した合成音声信号を音声増幅部２１に供給する。
【００３０】
音声増幅部（ＡＭＰ）２１は、ＭＩＸ回路２０から供給された合成音声信号を適宜増幅し、増幅した合成音声信号をスピーカ出力端子を介して、所定のスピーカに向けて出力する。
【００３１】
以下、この発明の実施の形態にかかるアンプの動作について、図２を参照して説明する。図２は、マイコン１２が実行する音声出力制御処理を説明するためのフローチャートである。
この音声出力制御処理は、アンプの背面パネルＰの各入力端子（アナログ再生入力端子〜ＵＳＢ接続端子）に楽曲再生機器やパソコン等が接続された状態で、例えば、アンプの電源が投入された後に開始される。なお、アンプの電源が投入された際に、セレクタ１１ａは、電源切断時の状態（前回の音声信号の選択）を維持するものとする。
【００３２】
まず、マイコン１２は、ソースの切り替え指示が入力されるまで待機する（ステップＳ１）。すなわち、マイコン１２は、操作部１７から供給される切り替えの指示信号や、ＵＳＢハブ１３を介してパソコン等から供給される切り替えの制御信号が入力されるまで、後続処理の実行を待機する。
【００３３】
ソースの切り替え指示が入力されると、マイコン１２は、切替ユニット１１を制御してセレクタ１１ａにて入力ソースを切り替える（ステップＳ２）。すなわち、マイコン１２は、切り替え指示に従って、対象の音声信号をセレクタ１１ａに選択させる。
セレクタ１１ａは、選択した音声信号をボリューム＆ＭＵＴＥ回路１８に供給する。そして、ボリューム＆ＭＵＴＥ回路１８は、この音声信号を適宜増幅等して、ＭＩＸ回路２０に供給する。
【００３４】
マイコン１２は、切り替え後の入力ソースがＵＳＢ音声以外のソースであるか否かを判別する（ステップＳ３）。つまり、セレクタ１１ａにて現在選択している音声信号が、ＵＳＢコーデックＩＣ１４から供給されたＵＳＢ音声信号以外（アナログ再生入力端子やアナログ入力１端子等から供給された音声信号）であるか否かを判別する。
【００３５】
マイコン１２は、ＵＳＢ音声以外のソースであると判別した場合、ＵＳＢ音声用ボリューム＆ＭＵＴＥ回路１９を制御して、ＵＳＢ音声をＭＩＸ回路２０に供給する（ステップＳ４）。つまり、マイコン１２は、ＵＳＢ音声用ボリューム＆ＭＵＴＥ回路１９を制御して、ＵＳＢコーデックＩＣ１４から直接出力されるＵＳＢ音声信号を、ＵＳＢ音声用ボリューム＆ＭＵＴＥ回路１９にて適宜増幅等させた後に、ＭＩＸ回路２０に供給する。
そして、ＭＩＸ回路２０は、ボリューム＆ＭＵＴＥ回路１８から供給される音声信号及び、ＵＳＢ音声用ボリューム＆ＭＵＴＥ回路１９から供給されるＵＳＢ音声信号を合成して、合成音声信号を生成する。ＭＩＸ回路２０は、生成した合成音声信号を音声増幅部２１に供給する。
音声増幅部２１は、ＭＩＸ回路２０から供給される合成音声信号を適宜増幅して、スピーカ出力端子を介して所定のスピーカに向けて出力する。
【００３６】
一方、ＵＳＢ音声以外のソースでない（ＵＳＢ音声である）と判別した場合に、マイコン１２は、ＵＳＢ音声用ボリューム＆ＭＵＴＥ回路１９をミュート制御する（ステップＳ５）。
このため、ＭＩＸ回路２０は、ボリューム＆ＭＵＴＥ回路１８から供給されるＵＳＢ音声信号だけを音声増幅部２１に供給し、そして、音声増幅部２１は、そのＵＳＢ音声信号を適宜増幅して、所定のスピーカに向けて出力する。
【００３７】
マイコン１２は、ステップＳ４又はＳ５を処理した後に、ステップＳ１に処理を戻し、上述のステップＳ１〜Ｓ５の処理を繰り返し実行する。
【００３８】
このように、音声出力制御処理により、セレクタ１１ａにてＵＳＢ音声信号以外の音声信号が選択された際に、ＭＩＸ回路２０にＵＳＢ音声用ボリューム＆ＭＵＴＥ回路１９を介してＵＳＢ音声信号が供給される。そして、ＭＩＸ回路２０にて音声信号とＵＳＢ音声信号とが合成され、音声増幅部２１を介してスピーカに出力される。
このため、利用者が、アナログ再生入力端子に接続されたＭＤレコーダから再生される音声を聴きながら、ＵＳＢ接続端子に接続されたパソコンを操作するような場合であっても、ＵＳＢ音声がＭＤレコーダの音声と合成されて出力されるため、アプリケーションの起動音やエラー通知音等を聴き取ることができる。
【００３９】
また、合成されるＵＳＢ音声（ＵＳＢ音声信号）は、ＵＳＢ音声用ボリューム＆ＭＵＴＥ回路１９にて単独に音量調整が可能である。このため、合成されるＵＳＢ音声の音量がＭＤレコーダの音声と比べて大きいような場合でも、利用者の好みに応じてＵＳＢ音声を小さくすることができる。
更に、ＵＳＢ音声用ボリューム＆ＭＵＴＥ回路１９は、ボリューム＆ＭＵＴＥ回路１８と別構成であるため、セレクタ１１ａの切り替え時のショック音の影響を受けない。そのため、別のＭＵＴＥ回路が不要となっている。
【００４０】
この結果、パソコン等の特定機器も含めた複数のオーディオソースの音声を切り替えるオーディオ機器において、特定機器の音声を適切に出力することができる。
【００４１】
上記の実施の形態では、音声信号とＵＳＢ音声信号とを合成して、１つのスピーカ出力端子からスピーカに向けて出力したが、他に専用の出力端子を設け、この専用の出力端子からＵＳＢ音声信号だけを別のスピーカ等に向けて出力してもよい。
【００４２】
以下、専用の出力端子を他に設けたアンプについて、図３を参照して説明する。図３は、この発明の他の実施の形態に適用されるアンプの一例を示すブロック図である。図示するように、このアンプは、切替ユニット１１と、マイコン３１と、ＵＳＢハブ１３と、ＵＳＢコーデックＩＣ１４と、Ｄ／Ａ１５と、ディスプレイ１６と、操作部１７と、ボリューム＆ＭＵＴＥ回路１８と、ＵＳＢ音声用ボリューム＆ＭＵＴＥ回路１９と、スイッチ３２と、ＭＩＸ回路２０と、音声増幅部２１と、を含んで構成される。
なお、マイコン３１及び、スイッチ３２以外の構成は、図１に示すアンプと同様である。
【００４３】
マイコン３１は、図１に示すマイコン１２と同様に、１チップマイコン等からなり、アンプ全体を制御する。
具体的にマイコン３１は、操作部１７から供給される指示信号や、ＵＳＢハブ１３を介してパソコン等から供給される制御信号に従って、切替ユニット１１、ボリューム＆ＭＵＴＥ回路１８及び、ＵＳＢ音声用ボリューム＆ＭＵＴＥ回路１９だけでなく、スイッチ３２も制御する。
つまり、マイコン３１は、操作部１７から供給される指示信号等に従って、スイッチ３２を制御し、ＵＳＢ音声用ボリューム＆ＭＵＴＥ回路１９からのＵＳＢ音声信号の出力先を、ＭＩＸ回路２０又は、ＵＳＢモニタ接続端子の何れかに切り替える。
【００４４】
スイッチ３２は、１入力・２出力の切替スイッチ等からなり、入力端がＵＳＢ音声用ボリューム＆ＭＵＴＥ回路１９に接続され、また、一方の出力端がＭＩＸ回路２０に接続され、そして、他方の出力端がＵＳＢモニタ接続端子に接続されている。スイッチ３２は、マイコン３１に制御され、ＵＳＢ音声用ボリューム＆ＭＵＴＥ回路１９から出力されるＵＳＢ音声信号を、ＭＩＸ回路２０又は、ＵＳＢモニタ接続端子の何れかに供給する。
【００４５】
このような構成のアンプは、スイッチ３２の出力端がＭＩＸ回路２０と接続されている状態で、図１に示すアンプと同様の動作をする。一方、スイッチ３２の出力端がＵＳＢモニタ接続端子との接続に切り替えられると、ＵＳＢモニタ接続端子を介して専用のスピーカ等（ヘッドホンやアンプ内蔵のアクティブスピーカ等）にＵＳＢ音声を常時出力することができる。
【００４６】
また、ＵＳＢハブ１３、ＵＳＢコーデックＩＣ１４、及び、ＵＳＢ音声用ボリューム＆ＭＵＴＥ回路１９等を、ＵＳＢケーブルを介してパソコン等から供給される電力により駆動可能とすることにより、アンプが電源オフの状態でも、パソコン等から供給されるＵＳＢ音声を専用のスピーカ等に出力することもできる。
更に、ヘッドホン出力端子を標準で備えているアンプの場合、このヘッドホン端子をＵＳＢモニタ接続端子の代わりに活用して、ＵＳＢ音声を出力できるようにしてもよい。その場合、通常の音声とＵＳＢ音声とを排他利用可能とする切替スイッチを設け、この切替スイッチにてＵＳＢ音声が選択された際に、ヘッドホン端子からＵＳＢ音声を出力する。
【００４７】
この場合も、パソコン等の特定機器も含めた複数のオーディオソースの音声を切り替えるオーディオ機器において、特定機器の音声を適切に出力することができる。
【００４８】
上記の実施の形態では、パソコン等の特定機器から供給される音声信号が、ＵＳＢ接続端子を介して供給されるＵＳＢ音声信号だけの場合について説明したが、他に、パソコン等から供給されるアナログ音声信号やデジタル音声信号も同様に扱えるようにしてもよい。
【００４９】
以下、パソコン等から供給されるアナログ音声信号及びデジタル音声信号も更に入力できるアンプについて、図４を参照して説明する。図４は、この発明の他の実施の形態の変形例となるアンプの一例を示すブロック図である。図示するように、このアンプは、切替ユニット１１と、マイコン４１と、ＵＳＢハブ１３と、ＵＳＢコーデックＩＣ１４と、Ｄ／Ａ１５，４２と、ディスプレイ１６と、操作部１７と、ボリューム＆ＭＵＴＥ回路１８と、セレクタ４３と、ＵＳＢ音声用ボリューム＆ＭＵＴＥ回路１９と、スイッチ３２と、ＭＩＸ回路２０と、音声増幅部２１と、を含んで構成される。
なお、マイコン４１、Ｄ／Ａ４２、及び、セレクタ４３以外の構成は、図３に示すアンプと同様である。
【００５０】
マイコン４１は、図３に示すマイコン３１等と同様に、１チップマイコン等からなり、アンプ全体を制御する。
具体的にマイコン４１は、操作部１７から供給される指示信号や、ＵＳＢハブ１３を介してパソコン等から供給される制御信号に従って、切替ユニット１１、ボリューム＆ＭＵＴＥ回路１８、ＵＳＢ音声用ボリューム＆ＭＵＴＥ回路１９、及び、スイッチ３２だけでなく、セレクタ４３も制御する。
つまり、マイコン４１は、操作部１７から供給される指示信号等に従って、セレクタ４３を制御し、パソコン等から供給されるＵＳＢ音声信号、デジタル音声信号、及び、アナログ音声信号から何れかの音声信号を選択させ、ＵＳＢ音声用ボリューム＆ＭＵＴＥ回路１９に供給させる。
【００５１】
Ｄ／Ａ４２は、背面パネルＰに設けられたＰＣ用デジタル入力端子からデジタル音声信号が入力された際に、アナログの音声信号に変換してセレクタ４３に供給する。
【００５２】
セレクタ４３は、３入力の切替器等からなり、パソコン等より供給される３系統の音声信号から、１系統の音声信号を選択し、選択した音声信号をＵＳＢ音声用ボリューム＆ＭＵＴＥ回路１９及び、セレクタ１１ａに供給する。つまり、ＰＣ用デジタル入力端子（Ｄ／Ａ４２）、ＰＣ用アナログ入力端子、及び、ＵＳＢ接続端子（ＵＳＢコーデックＩＣ１４）から供給される各音声信号をそれぞれ入力する。そして、マイコン４１の制御に従って、何れかの音声信号を選択して、ＵＳＢ音声用ボリューム＆ＭＵＴＥ回路１９等に供給する。
【００５３】
このような構成のアンプは、パソコン等の特定機器からＵＳＢ音声信号だけでなく、アナログ音声信号及びデジタル音声信号も入力でき、そして、セレクタ４３にて、その中の任意の音声信号を選択できる。そして、スイッチ３２の出力端がＵＳＢモニタ接続端子と接続されると、セレクタ４３にて選択された音声信号がＵＳＢ音声用ボリューム＆ＭＵＴＥ回路１９にて適宜増幅され、ＵＳＢモニタ接続端子を介して専用のスピーカ等に出力することができる。
【００５４】
この場合も、パソコン等の特定機器も含めた複数のオーディオソースの音声を切り替えるオーディオ機器において、特定機器の音声を適切に出力することができる。
【００５５】
上記の実施の形態では、アンプがＵＳＢインタフェースを備えている場合について説明したが、パソコン等の特定機器と接続するインタフェースは、ＵＳＢに限られず任意である。例えば、ＩＥＥＥ１３９４等のようなインタフェースであってもよく、パソコン等とアンプとの間がＩＥＥＥ１３９４ケーブルを介して接続されてもよい。
【００５６】
【発明の効果】
以上説明したように、本発明によれば、パソコン等の特定機器も含めた複数のオーディオソースの音声を切り替えるオーディオ機器において、特定機器の音声を適切に出力することができる。
【図面の簡単な説明】
【図１】本発明の実施の形態に係るアンプの構成の一例を示すブロック図である。
【図２】本発明の実施の形態に係る音声出力制御処理を説明するためのフローチャートである。
【図３】本発明の他の実施の形態に係るアンプの構成の一例を示すブロック図である。
【図４】本発明の他の実施の形態に係る変形例となるアンプの構成の一例を示すブロック図である。
【図５】従来のアンプを含んだオーディオシステムの一例を示す模式図である。
【図６】従来のアンプの構成を示すブロック図である。
【符号の説明】
１１  切替ユニット
１１ａ，４３  セレクタ
１１ｂ  ＭＵＴＥ回路
１２，３１，４１  マイコン
１３  ＵＳＢハブ
１４  ＵＳＢコーデックＩＣ
１５，４２  Ｄ／Ａ
１６  ディスプレイ
１７  操作部
１８  ボリューム＆ＭＵＴＥ回路
１９  ＵＳＢ音声用ボリューム＆ＭＵＴＥ回路
２０  ＭＩＸ回路
２１  音声増幅部
３２  スイッチ
【図１】
0003975233.tif 000002
【図２】
0003975233.tif 000003
【図３】
0003975233.tif 000004
【図４】
0003975233.tif 000005
【図５】
0003975233.tif 000006
【図６】
0003975233.tif 000007